(57)【要約】【課題】消費電力は大きいがノイズ性能が高い受信機と、ノイズ性能が低いが低消費電力な受信機とを、１つのデバイスで実現する。【解決手段】受信機は、受信信号からＩ信号を生成するＩ信号生成部と、Ｉ信号が入力される第１フィルタと、受信信号からＱ信号を生成するＱ信号生成部と、第１モードと第２モードとを切り替え制御する制御部と、第１フィルタの出力信号が入力される第１入力端子、Ｑ信号が入力される第２入力端子、第１入力端子に入力された入力信号が出力される第１出力端子及び第２出力端子を有するフィルタ処理部と、第１出力端子の出力信号と第２出力端子の出力信号とを復調処理する復調処理部と、を備える。フィルタ処理部は、第１モードの場合に、第２入力端子の入力信号のチャネルを選択するフィルタ処理を行って第２出力端子から出力し、第２モードの場合に、第１入力端子の入力信号をヒルベルト変換して第２出力端子から出力する。【選択図】図３
2020178293.tif 000002
【特許請求の範囲】
【請求項１】
受信した高周波信号からＩ信号を生成するＩ信号生成部と、
前記Ｉ信号が入力される第１フィルタと、
前記受信した高周波信号からＱ信号を生成するＱ信号生成部と、
第１モードと第２モードとを切り替え制御する制御部と、
前記第１フィルタの出力信号が入力される第１入力端子と、前記Ｑ信号が入力される第２入力端子と、前記第１入力端子に入力された入力信号が出力される第１出力端子と、第２出力端子と、を有するフィルタ処理部と、
前記第１出力端子の出力信号と前記第２出力端子の出力信号とを復調処理する復調処理部と、
を備え、
前記フィルタ処理部は、
前記第１モードの場合に、前記第２入力端子の入力信号のチャネルを選択するフィルタ処理を行い、該フィルタ処理の結果を前記第２出力端子から出力し、
前記第２モードの場合に、前記第１入力端子の入力信号をヒルベルト変換し、該ヒルベルト変換の結果を前記第２出力端子から出力し、
前記制御部は、
前記第２モードの場合に、前記Ｑ信号生成部の消費電力を前記第１モードの場合よりも低減させる
受信機。
【請求項２】
前記制御部は、
前記第２モードの場合に、前記Ｑ信号生成部をパワーダウンさせる
請求項１に記載の受信機。
【請求項３】
前記フィルタ処理部は、
前記第１入力端子の入力信号が入力されるヒルベルト変換器と、
前記第２入力端子の入力信号が入力される第２フィルタと、
前記第２フィルタの出力信号と前記ヒルベルト変換器の出力信号のいずれかを選択して前記第２出力端子から出力する選択部と、
を備え、
前記制御部は、
前記第１モードの場合に、前記第２フィルタの出力信号を出力するように前記選択部を制御し、
前記第２モードの場合に、前記ヒルベルト変換器の出力信号を出力するように前記選択部を制御する
請求項１または２に記載の受信機。
【請求項４】
前記制御部は、
前記第２モードの場合に、前記第２フィルタの消費電力を前記第１モードの場合よりも低減させる
請求項３に記載の受信機。
【請求項５】
前記制御部は、
前記第２モードの場合に、前記第２フィルタをパワーダウンさせる
請求項４に記載の受信機。
【請求項６】
前記フィルタ処理部は、
前記第２出力端子に出力信号を出力する第２フィルタと、
前記第１入力端子の入力信号と前記第２入力端子の入力信号のいずれかを選択して前記第２フィルタに出力する選択部と、
を備え、
前記制御部は、
前記第１モードの場合に、前記第２入力端子の入力信号を選択するように前記選択部を制御するとともに、前記第２フィルタの入力信号のチャネルを選択するためのフィルタ係数を前記第２フィルタに設定し、
前記第２モードの場合に、前記第１入力端子の入力信号を選択するように前記選択部を制御するとともに、前記第２フィルタの入力信号をヒルベルト変換するためのフィルタ係数を前記第２フィルタに設定する
請求項１または２に記載の受信機。
【発明の詳細な説明】
【技術分野】
【０００１】
本発明は、受信機に関する。
【背景技術】
【０００２】
無線業界（業務用無線やワイヤレスマイク）では、受信した無線信号を無線周波数からベースバンド信号に変換する方法として、従来スーパーヘテロダイン方式が採用されてきた。スーパーヘテロダイン方式の受信機（以下、スーパーヘテロダイン受信機という）では、信号処理のパスが一経路で済むため、消費電力を小さくできる。
一方、スーパーヘテロダイン受信機では、比較的高い中間周波数（数百ｋＨｚ〜数十ＭＨｚ）でチャネルフィルタリング処理を行う。このために、例えばデジタルフィルタで処理を行う場合は処理回路を並列に用意して信号処理を行うため、また、アナログフィルタで処理を行う場合は高い次数でフィルタを組む必要があるため、チップ面積が大きくなってしまう。したがって、フィルタの集積化が困難であるため、受信機にセラミックフィルタ等の外付けのフィルタを用いることが多かった。
【０００３】
これに対して、近年、受信機の小型化、コスト低減の要求から、部品点数を削減でき、実装面積を小さく構成することが可能なダイレクトコンバージョン方式の受信機（以下、ダイレクトコンバージョン受信機という）が用いられている。ダイレクトコンバージョン受信機では、アンテナから受信されたＲＦ（Radio Frequency：無線周波数）信号と同一周波数のローカル信号が受信器内部の局部発振回路で生成され、ＲＦ信号とローカル信号とを用いて受信信号の復調が行われる。ダイレクトコンバージョン受信機では、サンプリング周波数が低いため、フィルタの次数が高くても速いクロックを用いることなく１サンプリング周期で１つの処理回路を時分割で処理させることが可能となる。このため、処理回路を並列に用意する必要がなく、チップ面積を小さくすることが可能である。
【先行技術文献】
【特許文献】
【０００４】
【特許文献１】特開２０１５−１０００２３号公報
【発明の概要】
【発明が解決しようとする課題】
【０００５】
しかしながら、ダイレクトコンバージョン受信機では、Ｉｃｈ及びＱｃｈの直交復調をそれぞれ行うため、信号処理のパスが二経路となり、スーパーヘテロダイン受信機と比較して消費電力が大きくなりやすい。無線機のシステム特性において、ノイズ性能が高い特性を求められるデバイスでは消費電流の高さは問題にならないことが多いが、一方でノイズ性能が低いデバイスでは消費電流が重視されることが多い。
【０００６】
そこで、本発明は、消費電力は大きいがノイズ性能が高いデバイスと、ノイズ性能が低いが低消費電力なデバイスとを、１つのデバイスで実現可能な受信機を提供することを目的とする。
【課題を解決するための手段】
【０００７】
上述の課題を解決するために、本発明の一態様に係る受信機は、受信した高周波信号からＩ信号を生成するＩ信号生成部と、Ｉ信号が入力される第１フィルタと、受信した高周波信号からＱ信号を生成するＱ信号生成部と、第１モードと第２モードとを切り替え制御する制御部と、第１フィルタの出力信号が入力される第１入力端子と、Ｑ信号が入力される第２入力端子と、第１入力端子に入力された入力信号が出力される第１出力端子と、第２出力端子と、を有するフィルタ処理部と、第１出力端子の出力信号と第２出力端子の出力信号とを復調処理する復調処理部と、を備え、フィルタ処理部は、第１モードの場合に、第２入力端子の入力信号のチャネルを選択するフィルタ処理を行い、フィルタ処理の結果を第２出力端子から出力し、第２モードの場合に、第１入力端子の入力信号をヒルベルト変換し、ヒルベルト変換の結果を第２出力端子から出力し、制御部は、第２モードの場合に、Ｑ信号生成部の消費電力を第１モードの場合よりも低減させることを特徴とする。
【発明の効果】
【０００８】
本発明によれば、消費電力は大きいがノイズ性能が高いデバイスと、ノイズ性能が低いが低消費電力なデバイスとを、１つのデバイスで実現可能な受信機を提供することが可能となる。
【図面の簡単な説明】
【０００９】
【図１】従来のスーパーヘテロダイン方式の受信機の回路構成の一例を示している。
【図２】従来のダイレクトコンバージョン方式の受信機の回路構成の一例を示している。
【図３】本発明の第一実施形態に係る受信機の回路構成の一例を示している。
【図４】本発明の第一実施形態に係る受信機の第１モードの際の回路構成の一例を示している。
【図５】本発明の第一実施形態に係る受信機の第２モードの際の回路構成の一例を示している。
【図６】本発明の第二実施形態に係る受信機の回路構成の一例を示している。
【図７】本発明の第二実施形態に係る受信機の第１モードの際の回路構成の一例を示している。
【図８】本発明の第二実施形態に係る受信機の第２モードの際の回路構成の一例を示している。
【発明を実施するための形態】
【００１０】
以下、図面を参照して本発明の実施の形態を説明する。ただし、以下に説明する実施形態は、あくまでも例示であり、以下に明示しない種々の変形や技術の適用を排除する意図はない。本発明は、その趣旨を逸脱しない範囲で種々変形（例えば各実施形態を組み合わせる等）して実施することができる。また、以下の図面の記載において、同一又は類似の部分には同一又は類似の符号を付して表している。
【００１１】
１．従来の受信機について
以下、従来のスーパーヘテロダイン受信機及びダイレクトコンバージョン受信機の構成についてそれぞれ説明する。
【００１２】
（１−１）スーパーヘテロダイン受信機
図１は、従来のスーパーヘテロダイン受信機１００の回路構成の一例を示す回路図である。
スーパーヘテロダイン受信機１００は、アンテナ１１０と、低雑音増幅器（ＬＮＡ：Low Noise Amplifier）１２０と、第一混合器（１ｓｔ  ＭＩＸＥＲ）１３０と、第一局部発振回路１４０とを備えている。また、スーパーヘテロダイン受信機１００は、ＩＦ（Intermediate Frequency：中間周波数）フィルタ１５０と、第二混合器（２ｎｄ  ＭＩＸＥＲ）１６０と、第二局部発振回路１７０と、チャネルフィルタ回路１８０と復調回路１９０とを備えている。
【００１３】
低雑音増幅器１２０は、アンテナ１１０を介して受信した受信信号（ＲＦ信号）を増幅し、第一混合器１３０に出力する。
第一局部発振回路１４０は、受信信号を周波数変換するためのローカル信号を生成し、第一混合器１３０に出力する。
【００１４】
第一混合器１３０は、低雑音増幅器１２０で増幅されたＲＦ信号と、第一局部発振回路１４０で生成された例えば周波数ｆ１のローカル信号とを乗算する。これにより、第一混合器１３０は、ＲＦ信号を、ＲＦ信号の周波数からｆ１だけずれた周波数である第一の中間周波数にダウンコンバートする。第一混合器１３０は、第一の中間周波数にダウンコンバートされた受信信号を、ＩＦフィルタ１５０に出力する。
ＩＦフィルタ１５０は、第一混合器１３０から出力された第一の中間周波数にダウンコンバートされた受信信号からイメージ信号を除去し、第二混合器１６０に出力する。ＩＦフィルタとしては、例えばクリスタルフィルタが用いられる。
【００１５】
第二局部発振回路１７０は、受信信号を周波数変換するためのローカル信号を生成し、第二混合器１６０に出力する。
第二混合器１６０は、第一の中間周波数にダウンコンバートされた受信信号と、第二局部発振回路１７０で生成された例えば周波数ｆ２のローカル信号とを乗算する。これにより、第二混合器１６０は、第一の中間周波数にダウンコンバートされた受信信号を、当該受信信号の周波数からｆ２だけずれた周波数である第二の中間周波数にダウンコンバートする。第二混合器１６０は、第二の中間周波数にダウンコンバートされた受信信号をチャネルフィルタ回路１８０に出力する。
【００１６】
チャネルフィルタ回路１８０は、第二の中間周波数にダウンコンバートされた受信信号から自身のチャネルの信号成分のみを選択して、復調回路１９０に出力する。チャネルフィルタとしては、例えばセラミックフィルタが用いられる。
復調回路１９０は、チャネルフィルタ回路１８０から入力された信号から位相検出し、検出した位相を微分することで周波数変化を計算する。これにより、元の信号が復調される。
【００１７】
（１−２）ダイレクトコンバージョン受信機
図２は、従来のダイレクトコンバージョン受信機の回路構成の一例を示している。
ダイレクトコンバージョン受信機２００は、アンテナ２１０と、低雑音増幅器（ＬＮＡ）２２０と、Ｉ信号生成部２３０と、Ｑ信号生成部２４０と、局部発振器２５０と、を備えている。また、ダイレクトコンバージョン受信機２００は、チャネルフィルタ回路２６０，２７０と、復調回路２８０とを備えている。
【００１８】
低雑音増幅器２２０は、アンテナ２１０を介して受信した受信信号（ＲＦ信号）を増幅し、Ｉ信号生成部２３０及びＱ信号生成部２４０にそれぞれ出力する。
局部発振器２５０は、局部発振回路２５１及び移相器２５２を有している。
局部発振回路２５１は、ＲＦ信号と同一又はほぼ同一の周波数のローカル信号が生成される。局部発振回路２５１は、生成したローカル信号をＱ信号生成部２４０のＱｃｈ直交復調部（ＭＩＸＥＲ）２４１に出力する。一方、局部発振回路２５１は、ローカル信号を後述する移相器２５２に出力する。
移相器２５２は、局部発振回路２５１から入力されたローカル信号を９０°位相シフトして、９０°位相シフトされたローカル信号を生成する。移相器２５２は、９０°位相シフトされたローカル信号を、Ｉ信号生成部２３０のＩｃｈ直交復調部（ＭＩＸＥＲ）２３１に出力する。
【００１９】
Ｉ信号生成部２３０は、Ｉｃｈ直交復調部２３１とアンチエイリアジングフィルタ回路２３２とＡＤ変換器２３３とを有している。
Ｉｃｈ直交復調部２３１は、低雑音増幅器２２０で増幅されたＲＦ信号と、局部発振器２５０の移相器２５２から入力された９０°位相シフトされたローカル信号とを乗算する。これにより、Ｉｃｈ直交復調部２３１は、低雑音増幅器２２０で増幅されたＲＦ信号をダウンコンバートして、ベースバンド信号を生成する。Ｉｃｈ直交復調部２３１は、生成されたベースバンド信号をアンチエイリアジングフィルタ回路２３２に出力する。
アンチエイリアジングフィルタ回路２３２は、入力されたベースバンド信号に対してアンチエイリアシング処理を行い、アンチエイリアシング処理済みのベースバンド信号をＡＤ変換器２３３に出力する。これにより、アンチエイリアジングフィルタ回路２３２は、ＡＤ変換器２３３においてＡＤ変換する際に発生するエイリアシングを抑制するためのローパスフィルタ（ＬＰＦ）として機能する。
ＡＤ変換器２３３は、アンチエイリアシング処理済みのベースバンド信号をアナログデータからデジタルデータに変換して、チャネルフィルタ回路２６０に出力する。
【００２０】
Ｑ信号生成部２４０は、Ｑｃｈ直交復調部２４１とアンチエイリアジングフィルタ回路２４２とＡＤ変換器２４３とを有している。
Ｑｃｈ直交復調部２４１は、低雑音増幅器２２０で増幅されたＲＦ信号と、局部発振器２５０から入力されたローカル信号（位相シフトされていないローカル信号）とを乗算する。これにより、Ｑｃｈ直交復調部２４１は、低雑音増幅器２２０で増幅されたＲＦ信号をダウンコンバートして、ベースバンド信号を生成する。Ｑｃｈ直交復調部２４１は、生成されたベースバンド信号をアンチエイリアジングフィルタ回路２４２に出力する。
アンチエイリアジングフィルタ回路２４２は、アンチエイリアジングフィルタ回路２３２と同様に入力されたベースバンド信号に対してアンチエイリアシング処理を行い、アンチエイリアシング処理済みのベースバンド信号をＡＤ変換器２４３に出力する。
ＡＤ変換器２４３は、ＡＤ変換器２３３と同様にアンチエイリアシング処理済みのベースバンド信号をＡＤ変換してチャネルフィルタ回路２７０に出力する。
【００２１】
チャネルフィルタ回路２６０は、Ｉ信号生成部２３０から入力されたアンチエイリアシング処理済みのベースバンド信号から自身のチャネル（Ｉｃｈ）の信号成分のみを選択して、復調回路２８０に出力する。
チャネルフィルタ回路２７０は、Ｑ信号生成部２４０から入力されたアンチエイリアシング処理済みのベースバンド信号から自身のチャネル（Ｑｃｈ）の信号成分のみを選択して、復調回路２８０に出力する。
【００２２】
復調回路２８０は、位相検出器２８１と微分器２８２とを有している。
位相検出器２８１は、チャネルフィルタ回路２６０から入力されたＩｃｈの信号成分及びチャネルフィルタ回路２７０から入力されたＱｃｈの信号成分から位相検出し、検出した位相を微分器２８２に出力する。
微分器２８２は、検出された位相を微分することで周波数変化を計算する。
以上により、復調回路２８０において元の信号が復調される。
【００２３】
（１−３）
スーパーヘテロダイン受信機１００は、比較的高い中間周波数（数百ｋＨｚ〜数十ＭＨｚ）でチャネルフィルタリングの処理を行う。チャネルフィルタリング処理は、通常、クリスタルフィルタやセラミックフィルタなどの周波数選択性能が高い外付け部品により行う。部品点数を削減するために、これらの外付け部品と同等の周波数選択性能が高いフィルタを集積回路で実現するためには、フィルタの次数を高くしなければならない。
【００２４】
デジタルフィルタにて高い次数のフィルタ処理を行うためには、処理回路を並列に用意し、１サンプリング周期に１度で処理させるか、又は信号のサンプリング周波数より高いクロックを用いて１つの処理回路（乗算器など）を時分割で処理させる方法がある。中間周波数でチャネルフィルタリングを時分割で行う場合、中間周波数のフィルタ次数倍以上のクロックを用意する必要があるが、そのような速いクロックを実現することは困難である。速いクロックを用いずにフィルタ処理を実現するためには、処理回路を並列に用意する必要があるため、チップ面積が大きくなる。
【００２５】
アナログフィルタにて中間周波数でチャネルフィルタリングを行う場合、フィルタの周波数帯域が高いほどアナログフィルタを構成する抵抗、容量などの素子値が小さくなる。バラツキを抑えるように小さな素子値を実現するためには抵抗であれば比較的大きな抵抗素子を並列に接続しなければならないため、チップ面積は大きくなる。チップ面積を小さくするにはフィルタの次数を低くしなければならないため、周波数選択性能が低くなる。周波数選択性能が低いと十分にノイズ及び妨害波を落とすことができない。
【００２６】
一方、ダイレクトコンバージョン受信機２００では、ＲＦ信号をダウンコンバートした後はＤＣ近傍の低周波数で信号処理を行うことができる。ダイレクトコンバージョン受信機でデジタルフィルタによるチャネルフィルタリングを行う場合、サンプリング周波数が低いため、フィルタの次数が高くても、速いクロックを用意せずに１サンプリング周期で１つの処理回路を時分割で処理させることが可能となる。よって、比較的容易に十分にノイズ及び妨害波を落とすことが可能なチャネルフィルタを集積することができ、前述の外部フィルタが不要となる。
【００２７】
しかしながら、上述したとおり、ダイレクトコンバージョン受信機では、Ｉ／Ｑ直交復調の二経路の信号処理のパスができることになり、スーパーヘテロダイン受信機と比較して消費電力が大きくなりやすい。
上述したような消費電力は大きいがノイズ性能が高いデバイスと、ノイズ性能が低いが低消費電力なデバイスを、１つのデバイスで実現できる製品の需要が高まってきている。例えば、ポータブル受信機の場合は受信機としてのスペックよりも低消費電力が求められ、据え置きタイプの受信機では消費電力よりも受信機としてのスペックが重視される。
以下、消費電力は大きいがノイズ性能が高いモード（ダイレクトコンバージョンモード）と、ノイズ性能は低いが消費電力は小さなモード（低ＩＦモード）とを切り替えて、一つのデバイスで実現可能な本発明に係る受信機について説明する。
【００２８】
２．第一実施形態
以下、図３から図５を用いて、本発明の第一実施形態に係る受信機１について説明する。
図３は、受信機１の回路構成の一例を示すブロック図である。図４は、受信機１を、消費電力は大きいがノイズ性能が高い第１モード（ダイレクトコンバージョンモード）で動作させる際の回路構成の一例を示すブロック図である。図５は、受信機１を、消費電力は大きいがノイズ性能が高い第２モード（低ＩＦモード）で動作させる際の回路構成の一例を示すブロック図である。
本実施形態における受信機１は、受信機１内で、ダイレクトコンバージョンモードと、低ＩＦモードとを切り替えることが可能であり、受信した無線信号を２つのモードのいずれかを用いてベースバンド信号に変換することが可能である。
【００２９】
（受信機の構成）
図３に示すように、受信機１は、アンテナ１０と、低雑音増幅器（ＬＮＡ）２０と、Ｉ信号生成部３０と、Ｑ信号生成部４０と、局部発振器５０と、を備えている。また、受信機１は、チャネルフィルタ回路６０と、フィルタ処理部７０と、復調回路８０と、制御部である制御信号生成部９０と、を備えている。
【００３０】
低雑音増幅器（ＬＮＡ）２０は、アンテナ１０を介して受信した受信信号（ＲＦ信号）を増幅し、Ｉ信号生成部３０及びＱ信号生成部４０にそれぞれ出力する。
局部発振器５０は、局部発振回路５１及び移相器５２を有している。
局部発振回路５１は、ＲＦ信号と同一又はほぼ同一の周波数のローカル信号が生成される。局部発振回路５１は、生成したローカル信号をＱ信号生成部４０のＱｃｈ直交復調部４１に出力する。一方、局部発振回路５１は、ローカル信号を後述する移相器５２に出力する。
移相器５２は、局部発振回路５１から入力されたローカル信号を９０°位相シフトして、９０°位相シフトされたローカル信号を生成する。移相器５２は、９０°位相シフトされたローカル信号を、Ｉ信号生成部３０のＩｃｈ直交復調部３１に出力する。
局部発振器５０は、後述する制御信号生成部９０からの第３制御信号ＣＳ３に基づいて、生成するローカル信号の周波数が制御される。
【００３１】
Ｉ信号生成部３０は、Ｉｃｈ直交復調部（ＭＩＸＥＲ）３１とアンチエイリアジングフィルタ回路３２とＡＤ変換器３３とを有している。Ｉ信号生成部３０は、アンテナ１０で受信したＲＦ信号からＩ信号を生成し、チャネルフィルタ回路６０に入力する。
Ｉｃｈ直交復調部３１は、低雑音増幅器２０で増幅されたＲＦ信号と、局部発振器５０の移相器５２から入力された９０°位相シフトされたローカル信号とを乗算する。これにより、Ｉｃｈ直交復調部３１は、低雑音増幅器２０で増幅されたＲＦ信号をダウンコンバートして、ベースバンド信号を生成する。Ｉｃｈ直交復調部３１は、生成されたベースバンド信号をアンチエイリアジングフィルタ回路３２に出力する。
アンチエイリアジングフィルタ回路３２は、入力されたベースバンド信号に対してアンチエイリアシング処理を行い、アンチエイリアシング処理済みのベースバンド信号をＡＤ変換器３３に出力する。
ＡＤ変換器３３は、アンチエイリアシング処理済みのベースバンド信号をＡＤ変換してチャネルフィルタ回路６０に出力する。
【００３２】
Ｑ信号生成部４０は、Ｑｃｈ直交復調部（ＭＩＸＥＲ）４１とアンチエイリアジングフィルタ回路４２とＡＤ変換器４３とを有している。Ｑ信号生成部４０は、アンテナ１０で受信したＲＦ信号からＱ信号を生成し、フィルタ処理部７０の第２フィルタ７１に入力する。
Ｑｃｈ直交復調部４１は、低雑音増幅器２０で増幅されたＲＦ信号と、局部発振器５０の局部発振回路５１から入力されたローカル信号（位相シフトされていないローカル信号）とを乗算する。これにより、Ｑｃｈ直交復調部４１は、低雑音増幅器２０で増幅されたＲＦ信号をダウンコンバートしてベースバンド信号を生成する。Ｑｃｈ直交復調部４１は、生成されたベースバンド信号をアンチエイリアジングフィルタ回路４２に出力する。
アンチエイリアジングフィルタ回路４２は、入力されたベースバンド信号に対してアンチエイリアシング処理を行い、アンチエイリアシング処理済みのベースバンド信号をＡＤ変換器４３に出力する。
ＡＤ変換器４３は、アンチエイリアシング処理済みのベースバンド信号をＡＤ変換して、フィルタ処理部７０の第２フィルタ７１に出力する。
Ｑ信号生成部４０は、後述する制御信号生成部９０からの第２制御信号ＣＳ２に基づいて、パワーアップ又はパワーダウンさせる制御が行われる。
【００３３】
第１フィルタであるチャネルフィルタ回路６０は、Ｉ信号生成部３０から入力されたアンチエイリアシング処理済みのベースバンド信号から自身のチャネル（Ｉｃｈ）の信号成分のみを選択して、フィルタ処理部７０に出力する。
【００３４】
フィルタ処理部７０は、第２フィルタ７１と、ヒルベルト変換器７２と、スイッチ７３とを有している。フィルタ処理部７０は、チャネルフィルタ回路６０の出力が接続される第１入力端子７４ａと、Ｑ信号生成部４０の出力が接続される第２入力端子７４ｂとを有している。また、フィルタ処理部７０は、第１入力端子７４ａと接続され、第１入力端子７４ａへの入力を復調回路８０に出力する第１出力端子７５ａと、スイッチ７３の出力を復調回路８０に出力する第２出力端子７５ｂと、を有している。
【００３５】
第２フィルタ７１は、チャネルフィルタ回路として機能する。第２フィルタ７１は、第２入力端子７４ｂの入力信号（すなわちＱ信号生成部４０の出力）が入力され、チャネルフィルタリング処理を行う。
ヒルベルト変換器７２は、第１入力端子７４ａの入力信号（すなわちＩ信号生成部３０の出力）が入力され、ヒルベルト変換を行う。
スイッチ７３は、選択部の一例であり、第２フィルタ７１の出力信号とヒルベルト変換器７２の出力信号のいずれかを選択して第２出力端子７５ｂから出力する。
【００３６】
フィルタ処理部７０は、スイッチ７３により、後述する復調回路８０の位相検出器８１の入力に、第２フィルタ７１の出力を接続するかヒルベルト変換器７２の出力を接続するかを切り替えることができる。
フィルタ処理部７０は、第１モードの場合に、第２入力端子７４ｂの入力信号のチャネルを選択するフィルタ処理を行い、フィルタ処理の結果を第２出力端子７５ｂから復調回路８０に出力する。また、フィルタ処理部７０は、第２モードの場合に、第１入力端子７４ａの入力信号をヒルベルト変換器７２においてヒルベルト変換し、ヒルベルト変換の結果（すなわちヒルベルト変換器７２の出力）を第２出力端子７５ｂから復調回路８０に出力する。
【００３７】
復調回路８０は、位相検出器８１と微分器８２とを有しており、フィルタ処理部７０の第１出力端子７５ａの出力信号と第２出力端子７５ｂの出力信号とを復調処理する復調処理部である。
位相検出器８１は、フィルタ処理部７０の第１出力端子７５ａからの出力信号と第２出力端子７５ｂからの出力信号とを用いて位相検出を行う。
微分器８２は、検出された位相を微分することで周波数変化を計算する。
これにより、復調回路８０において元の信号が復調される。
【００３８】
制御信号生成部９０は、受信機１の動作モードとして、消費電力は大きいがノイズ性能が高い第１モード（ダイレクトコンバージョンモード）と消費電力は大きいがノイズ性能が高い第２モード（低ＩＦモード）とを切り替え制御する。制御信号生成部９０は、受信機１の外部から入力されるモード切替信号ＳＳに基づいて、第１制御信号ＣＳ１と、第２制御信号ＣＳ２と、第３制御信号ＣＳ３と、を生成し、受信機１の各部に出力して制御を行う。
【００３９】
第１制御信号ＣＳ１は、フィルタ処理部７０のスイッチ７３に入力されて、スイッチ７３の切り替えを制御する信号である。制御信号生成部９０は、第１モードの場合に、スイッチ７３が第２フィルタ７１と第２出力端子７５ｂとを接続するように制御する。制御信号生成部９０は、第２モードの場合に、スイッチ７３がヒルベルト変換器７２と第２出力端子７５ｂとを接続するように制御する。
【００４０】
第２制御信号ＣＳ２は、Ｑ信号生成部４０及びフィルタ処理部７０に入力されて、Ｑ信号生成部４０及びフィルタ処理部７０の第２フィルタ７１をパワーアップ又はパワーダウンさせる制御を行う信号である。制御信号生成部９０は、第１モードの場合に、Ｑ信号生成部４０及びフィルタ処理部７０の第２フィルタ７１をパワーアップさせて、Ｑ信号生成部４０及び第２フィルタ７１を動作させる。また、制御信号生成部９０は、第２モードの場合に、Ｑ信号生成部４０及びフィルタ処理部７０の第２フィルタ７１をパワーダウンさせて、Ｑ信号生成部４０及び第２フィルタ７１の消費電力を第１モードの場合よりも低減させる。
第３制御信号ＣＳ３は、局部発振器５０に入力されて、局部発振回路５１から出力されるローカル信号の周波数を制御する信号である。
【００４１】
制御信号生成部９０は、第１モードの場合に、第２フィルタ７１の出力信号を復調回路８０に出力するようにスイッチ７３を制御し、第２モードの場合に、ヒルベルト変換器７２の出力信号を復調回路８０に出力するようにスイッチ７３を制御する。これにより、受信機１は、消費電力は大きいがノイズ性能が高い第１モード（ダイレクトコンバージョンモード）又は消費電力は大きいがノイズ性能が高い第２モード（低ＩＦモード）に切り替えられる。
【００４２】
（受信機の動作）
以下、第１モード（ダイレクトコンバージョンモード）における受信機１の動作及び第２モード（低ＩＦモード）における受信機１の動作についてそれぞれ説明する。
【００４３】
＜ダイレクトコンバージョンモードにおける動作＞
図４を参照して、受信機１におけるダイレクトコンバージョンモードの場合の動作の一例を説明する
受信機１の外部から制御信号生成部９０に入力されたモード切替信号ＳＳにより、受信機１の動作モードとしてダイレクトコンバージョンモードが選択される。これにより、第２制御信号ＣＳ２により、Ｑ信号生成部４０及び第２フィルタ７１をパワーアップさせ、第３制御信号ＣＳ３により、局部発振回路５１は、ＲＦ信号と同じ周波数の局部発振信号を生成するように設定される。また、第１制御信号ＣＳ１により、スイッチ７３は第２フィルタ７１と第２出力端子７５ｂとを接続するように制御される。
【００４４】
一般的なダイレクトコンバージョン方式と同様に、アンテナ１０で受信したＲＦ信号は低雑音増幅器２０で増幅され、Ｉ信号生成部３０及びＱ信号生成部４０に入力される。Ｉ信号生成部３０の出力は、チャネルフィルタ回路６０においてチャネルフィルタリング処理が行われ、フィルタ処理部７０に出力される。Ｑ信号生成部４０の出力は、第２フィルタ７１においてチャネルフィルタリング処理が行われ、復調回路８０の位相検出器８１に出力される。
【００４５】
フィルタ処理部７０は、チャネルフィルタ回路６０から入力されたＩ信号生成部３０の出力信号を第１出力端子７５ａを介して位相検出器８１に入力する。また、フィルタ処理部７０は、スイッチ７３の出力信号（すなわち、第２フィルタ７１を介して入力されたＱ信号生成部４０の出力信号）を、第２出力端子７５ｂを介して復調回路８０の位相検出器８１に入力する。
位相検出器８１は、入力されたＩ信号生成部３０の出力信号とＱ信号生成部４０の出力信号とから位相検出を行う。微分器８２は、位相検出器８１で検出された位相を微分し、周波数変化を計算することで、元の信号を復調する。
【００４６】
上述したダイレクトコンバージョンモードにおける信号処理時の周波数帯域は、後述する低ＩＦモードの信号処理時の周波数帯域の１／２となるため、ノイズも１／２となる。このため、ダイレクトコンバージョンモードにおけるIｃｈ直交復調部３１およびＱｃｈ直交復調部４１以降のノイズ特性は、低消費電力モードにおけるノイズ特性よりも３ｄＢ向上する。
【００４７】
＜低ＩＦモードにおける動作＞
図５を参照して、受信機１における低ＩＦモードの場合の動作の一例を説明する。
受信機１の外部から制御信号生成部９０に入力されたモード切替信号ＳＳにより、受信機１の動作モードとして低ＩＦモードが選択される。これにより、第２制御信号ＣＳ２により、Ｑ信号生成部４０及び第２フィルタ７１をパワーダウンさせ、Ｉ信号生成部３０のみを動作させる。受信機１では、第３制御信号ＣＳ３により、局部発振回路５１は、ＲＦ信号の周波数から中間周波数だけずらした局部発振信号を生成するように設定される。また、第１制御信号ＣＳ１により、スイッチ７３はヒルベルト変換器７２と第２出力端子７５ｂとを接続するように制御される。
【００４８】
アンテナ１０で受信したＲＦ信号は低雑音増幅器２０で増幅され、Ｉ信号生成部３０に入力される。Ｉｃｈ直交復調部３１は、ＲＦ信号と局部発振回路５１で生成された局部発振信号とを乗算することにより、ＲＦ信号を中間周波数にダウンコンバートしてＩ信号を生成する。Ｉ信号生成部３０の出力は、チャネルフィルタ回路６０においてチャネルフィルタリング処理が行われ、フィルタ処理部７０に出力される。
【００４９】
チャネルフィルタ回路６０からの出力（チャネルフィルタリング処理されたＩ信号生成部３０の出力）は、フィルタ処理部７０に入力され、第１出力端子７５ａを介して復調回路８０の位相検出器８１に出力される。
また、チャネルフィルタ回路６０からの出力は、フィルタ処理部７０のヒルベルト変換器７２に入力され、位相が９０°ずれた信号が再生される。この後、スイッチ７３の出力（すなわち、ヒルベルト変換器７２の出力）は、復調回路８０の位相検出器８１に出力される。
位相検出器８１は、Ｉ信号生成部３０の出力信号とヒルベルト変換器７２の出力信号から位相検出を行う。微分器８２は、検出された位相を微分し、周波数変化を計算することで、元の信号を復調する。
【００５０】
上述した低ＩＦモードにおける信号処理時の電流は、ダイレクトコンバージョンモードにおける信号処理時と比較して
Ｑ信号生成部４０における電流分消費電流が低減する。このため、低ＩＦモードでは、低消費電流で受信機１を構成することができる。
【００５１】
なお、受信機１では、Ｉ信号生成部３０とＱ信号生成部４０とを入れ替えて構成しても良い。すなわち、Ｑ信号生成部４０からの出力（Ｑ信号）がチャネルフィルタ回路６０を介してフィルタ処理部７０に入力され、Ｉ信号生成部３０からの出力（Ｉ信号）がフィルタ処理部７０の第２フィルタ７１にされるようにしても良い。
この場合でも、低ＩＦモードにおける信号処理時の電流は、Ｉ信号生成部３０における電流分消費電流が低減し、低消費電流で受信機１を構成することができる。
【００５２】
また、制御信号生成部９０は、外部から入力されるモード切替信号ＳＳを一度バッファする構成であってもよく、インタフェースからモードを設定されて内部の制御信号を生成する構成であってもよい。
【００５３】
＜第一実施形態における効果＞
第一実施形態に係る受信機１は、１つのデバイスで、ダイレクトコンバージョンモードと低ＩＦモードとを切り替えて動作させることができる。
【００５４】
３．第二実施形態
以下、図６から図８を用いて、本発明の第一実施形態に係る受信機２について説明する。
図６は、受信機２の回路構成の一例を示すブロック図である。図７は、受信機２を、消費電力は大きいがノイズ性能が高い第１モード（ダイレクトコンバージョンモード）で動作させる際の回路構成の一例を示すブロック図である。図８は、受信機２を、消費電力は大きいがノイズ性能が高い第２モード（低ＩＦモード）で動作させる際の回路構成の一例を示すブロック図である。
本実施形態における受信機２は、受信機１と同様に、受信機２内で、ダイレクトコンバージョンモードと、低ＩＦモードとを切り替えることが可能であり、受信した無線信号を２つのモードのいずれかを用いてベースバンド信号に変換することが可能である。
【００５５】
（受信機の構成）
図６に示すように、受信機２は、アンテナ１０と、低雑音増幅器（ＬＮＡ）２０と、Ｉ信号生成部３０と、Ｑ信号生成部４０と、局部発振器５０と、を備えている。また、受信機１は、チャネルフィルタ回路６０と、フィルタ処理部７０Ａと、復調回路８０と、制御部である制御信号生成部９０Ａと、を備えている。
受信機２は、フィルタ処理部７０及び制御信号生成部９０に代えて、フィルタ処理部７０Ａ及び制御信号生成部９０Ａを備える点で、第一実施形態の受信機１と異なる。
以下、フィルタ処理部７０Ａ及び制御信号生成部９０Ａについて、詳細に説明する。なお、受信機２におけるアンテナ１０、低雑音増幅器２０、Ｉ信号生成部３０、Ｑ信号生成部４０、局部発振器５０、チャネルフィルタ回路６０及び復調回路８０は、受信機１の対応する各部と同様の構成、機能であるため説明を省略する。
【００５６】
フィルタ処理部７０Ａは、第２フィルタ７１Ａと、スイッチ７３Ａとを有している。フィルタ処理部７０Ａは、チャネルフィルタ回路６０の出力が接続される第１入力端子７４ａと、Ｑ信号生成部４０の出力が接続される第２入力端子７４ｂとを有している。また、フィルタ処理部７０Ａは、第１入力端子７４ａと接続されて第１入力端子７４ａへの入力を復調回路８０に出力する第１出力端子７５ａと、第２フィルタ７１Ａの出力を復調回路８０に出力する第２出力端子７５ｂと、を有している。
【００５７】
第２フィルタ７１Ａは、モード切替信号ＳＳにより、第１モード（ダイレクトコンバージョンモード）の場合には、Ｑ信号生成部４０の出力信号のチャネルを選択するチャネルフィルタ回路として機能する。また、第２フィルタ７１Ａは、第２モード（低ＩＦモード）の場合には、ヒルベルト変換器として機能する。第２フィルタ７１Ａは、例えば乗算器や加算器を有し、乗算器や加算器を共有化してフィルタ係数を書き換えることで、チャネルフィルタ回路としての機能とヒルベルト変換器としての機能を両立する。第２フィルタ７１Ａは、第２出力端子７５ｂに出力信号を出力する。
スイッチ７３Ａは、選択部の一例であり、Ｉ信号生成部３０の出力と接続された第１入力端子７４ａと、Ｑ信号生成部４０の出力と接続された第２入力端子７４ｂのいずれかを第２フィルタ７１Ａの入力に接続するように切り替える。これにより、スイッチ７３Ａは、第１入力端子７４ａの入力信号と第２入力端子７４ｂの入力信号のいずれかを選択して第２フィルタ７１Ａに出力する。
【００５８】
フィルタ処理部７０Ａは、スイッチ７３Ａにより、復調回路８０の位相検出器８１の入力に、Ｉ信号生成部３０の出力を接続するかＱ信号生成部４０の出力を接続するかを切り替えることができる。
フィルタ処理部７０Ａは、第１モードの場合に、第２入力端子７４ｂを介してＱ信号生成部４０の出力を第２フィルタ７１Ａに入力する。第２フィルタ７１Ａは、Ｑ信号生成部４０の出力のチャネルを選択するフィルタ処理を行い、フィルタ処理の結果を第２出力端子７５ｂから復調回路８０に出力する。また、フィルタ処理部７０Ａは、第２モードの場合に、第１入力端子７４ａを介してＩ信号生成部３０の出力を第２フィルタ７１Ａに入力する。第２フィルタ７１Ａは、Ｉ信号生成部３０の出力をヒルベルト変換し、ヒルベルト変換の結果を第２出力端子７５ｂから復調回路８０に出力する。
【００５９】
制御信号生成部９０Ａは、受信機２の動作モードとして、消費電力は大きいがノイズ性能が高い第１モード（ダイレクトコンバージョンモード）と消費電力は大きいがノイズ性能が高い第２モード（低ＩＦモード）とを切り替え制御する。制御信号生成部９０Ａは、受信機１の外部から入力されるモード切替信号ＳＳに基づいて、第１制御信号ＣＳ１から第３制御信号ＣＳ３に加えて第４制御信号ＣＳ４を生成し、受信機２の各部に出力して制御を行う。
【００６０】
第１制御信号ＣＳ１は、フィルタ処理部７０Ａのスイッチ７３Ａに入力されて、スイッチ７３Ａの切り替えを制御する信号である。制御信号生成部９０Ａは、第１モードの場合に、スイッチ７３Ａが第２入力端子７４ｂと第２フィルタ７１Ａとを接続し、第２モードの場合に、スイッチ７３Ａが第１入力端子７４ａと第２フィルタ７１Ａとを接続するように制御する。
第２制御信号ＣＳ２は、Ｑ信号生成部４０に入力されて、Ｑ信号生成部４０をパワーアップ又はパワーダウンさせる制御を行う信号である。制御信号生成部９０Ａは、第１モードの場合に、Ｑ信号生成部４０をパワーアップさせてＱ信号生成部４０を動作させる。また、制御信号生成部９０Ａは、第２モードの場合に、Ｑ信号生成部４０をパワーダウンさせてＱ信号生成部４０の消費電力を第１モードの場合よりも低減させる。
【００６１】
第３制御信号ＣＳ３は、局部発振器５０に入力されて、局部発振回路５１から出力されるローカル信号の周波数を制御する信号である。
第４制御信号ＣＳ４は、フィルタ処理部７０Ａの第２フィルタ７１Ａに入力されて、第２フィルタ７１Ａの機能をチャネルフィルタ回路としての機能又はヒルベルト変換器としての機能に切り替える制御を行う信号である。制御信号生成部９０Ａは、第１モードの場合に、Ｑ信号生成部４０の出力信号のチャネルを選択するように第２フィルタの係数を設定して、第２フィルタ７１Ａをチャネルフィルタ回路として機能させる。また、制御信号生成部９０Ａは、第２モードの場合に、第２フィルタ７１Ａをヒルベルト変換器として機能させる。
【００６２】
制御信号生成部９０Ａは、第１モードの場合に、第２入力端子７４ｂの入力信号を選択するようにスイッチ７３Ａを制御するとともに、第２フィルタ７１Ａへの入力信号のチャネルを選択するためのフィルタ係数を第２フィルタ７１Ａに設定する。これにより、制御信号生成部９０Ａは、Ｑ信号生成部４０の出力信号をチャネルフィルタ回路として機能する第２フィルタ７１Ａに入力し、チャネルフィルタリング処理後の信号を復調回路８０に出力させる。
また、制御信号生成部９０Ａは、第２モードの場合に、第１入力端子７４ａの入力信号を選択するようにスイッチ７３Ａを制御するとともに、第２フィルタ７１Ａへの入力信号をヒルベルト変換するためのフィルタ係数を第２フィルタ７１Ａに設定する。これにより、制御信号生成部９０Ａは、Ｉ信号生成部３０の出力信号をヒルベルト変換器として機能する第２フィルタ７１Ａに入力し、ヒルベルト変換後の信号を復調回路８０に出力させる。
これにより、受信機２は、消費電力は大きいがノイズ性能が高い第１モード（ダイレクトコンバージョンモード）又は消費電力は大きいがノイズ性能が高い第２モード（低ＩＦモード）に切り替えられる。
【００６３】
（受信機の動作）
以下、第１モード（ダイレクトコンバージョンモード）における受信機２の動作及び第２モード（低ＩＦモード）における受信機２の動作についてそれぞれ説明する。
【００６４】
＜ダイレクトコンバージョンモードにおける動作＞
図７を参照して、受信機２におけるダイレクトコンバージョンモードの場合の動作の一例を説明する
受信機２の外部から制御信号生成部９０Ａに入力されたモード切替信号ＳＳにより、受信機２の動作モードとしてダイレクトコンバージョンモードが選択される。これにより、第２制御信号ＣＳ２により、Ｑ信号生成部４０をパワーアップさせ、第３制御信号ＣＳ３により、局部発振回路５１は、ＲＦ信号と同じ周波数の局部発振信号を生成するように設定される。また、第１制御信号ＣＳ１により、スイッチ７３ＡはＱ信号生成部４０と第２フィルタ７１Ａとを接続するように制御され、第４制御信号ＣＳ４により、第２フィルタ７１Ａがチャネルフィルタ回路として機能するように制御される。
【００６５】
アンテナ１０でＲＦ信号を受信してから、Ｉ信号生成部３０及びＱ信号生成部４０を介してフィルタ処理部７０Ａに信号を入力するまでの動作は、第一実施形態の受信機１と同様であるため説明を省略する。
【００６６】
チャネルフィルタ回路６０でチャネルフィルタリング処理されたＩ信号生成部３０の出力は、フィルタ処理部７０Ａに入力され、フィルタ処理部７０Ａの第１入力端子７４ａ及び第１出力端子７５ａを介して復調回路８０の位相検出器８１に出力される。
また、Ｑ信号生成部４０の出力は、スイッチ７３Ａによりフィルタ処理部７０Ａの第２フィルタ７１Ａに入力され、チャネルフィルタリング処理が行われる。この後、第２フィルタ７１Ａの出力は、復調回路８０の位相検出器８１に出力される。
【００６７】
フィルタ処理部７０Ａは、チャネルフィルタ回路６０から入力されたＩ信号生成部３０の出力信号を第１出力端子７５ａを介して復調回路８０の位相検出器８１に入力する。また、フィルタ処理部７０Ａは、Ｑ信号生成部４０の出力を第２フィルタ７１Ａにおいてチャネルフィルタリング処理し、第２出力端子７５ｂを介して復調回路８０の位相検出器８１に入力する。
位相検出器８１は、入力されたＩ信号生成部３０の出力信号とＱ信号生成部４０の出力信号とから位相検出を行う。微分器８２は、位相検出器８１で検出された位相を微分し、周波数変化を計算することで、元の信号を復調する。
【００６８】
上述したダイレクトコンバージョンモードにおける信号処理時の周波数帯域は、低ＩＦモードの信号処理時の周波数帯域の１／２となるため、ノイズも１／２となる。このため、ダイレクトコンバージョンモードにおけるIｃｈ直交復調部３１およびＱｃｈ直交復調部４１以降のノイズ特性は、低消費電力モードにおけるノイズ特性よりも３ｄＢ向上する。
【００６９】
＜低ＩＦモードにおける動作＞
図８を参照して、受信機２における低ＩＦモードの場合の動作の一例を説明する。
受信機２の外部から制御信号生成部９０Ａに入力されたモード切替信号ＳＳにより、受信機２の動作モードとして低ＩＦモードが選択される。これにより、第２制御信号ＣＳ２により、Ｑ信号生成部４０をパワーダウンさせ、第３制御信号ＣＳ３により、局部発振回路５１は、ＲＦ信号の周波数から中間周波数だけずらした局部発振信号を生成するように設定される。また、第１制御信号ＣＳ１により、スイッチ７３Ａはチャネルフィルタ回路６０と第２フィルタ７１Ａとを接続するように制御され、第４制御信号ＣＳ４により、第２フィルタ７１Ａがヒルベルト変換器として機能するように制御される。
【００７０】
アンテナ１０でＲＦ信号を受信してから、Ｉ信号生成部３０及びＱ信号生成部４０を介してフィルタ処理部７０Ａに信号を入力するまでの動作は、第一実施形態の受信機１と同様であるため説明を省略する。
【００７１】
チャネルフィルタ回路６０でチャネルフィルタリング処理されたＩ信号生成部３０の出力は、フィルタ処理部７０Ａに入力され、第１出力端子７５ａを介して復調回路８０の位相検出器８１に出力される。
また、Ｉ信号生成部３０の出力は、スイッチ７３Ａによりフィルタ処理部７０Ａの第２フィルタ７１Ａに入力され、ヒルベルト変換処理される。この後、第２フィルタ７１Ａの出力（ヒルベルト変換されたチャネルフィルタ回路６０の出力）は、復調回路８０の位相検出器８１に出力される。
位相検出器８１は、チャネルフィルタ回路６０の出力と第２フィルタの出力（ヒルベルト変換されたチャネルフィルタ回路６０の出力）とから位相検出を行う。微分器８２は、検出された位相を微分し、周波数変化を計算することで、元の信号を復調する。
【００７２】
上述した低ＩＦモードにおける信号処理時の電流は、ダイレクトコンバージョンモードにおける信号処理時と比較してＱ信号生成部４０における電流分消費電流が低減する。このため、低ＩＦモードでは、低消費電流で受信機１を構成することができる。
【００７３】
＜第二実施形態における効果＞
第二実施形態に係る受信機２は、１つのデバイスで、ダイレクトコンバージョンモードと低ＩＦモードとを切り替えて動作させることができる。
また、第二実施形態に係る受信機２は、チャネルフィルタとヒルベルト変換器とをそれぞれ設けるのではなく、一つのフィルタでチャネルフィルタ機能及びヒルベルト変換機能を実現する。このため、受信機２では、消費電力や回路規模の増大を抑制することが可能となる。
【００７４】
第一実施形態に係る受信機１及び第二実施形態に係る受信機２において、低ＩＦモードの構成では、通常は受信機近傍に妨害波が入力された場合にイメージ信号の処理が必要となる。例えば、ワイヤレスマイクに使われる通信方式では、最近傍の妨害波は信号帯域の２倍程度離れたチャネル構成を取ることが多いため、イメージ信号の処理が不要となる。このため、受信機１及び受信機２をワイヤレスマイクに用いることが好適である。
【００７５】
以上、各実施形態により本発明の具体的な構成を説明したが、本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００７６】
１，２  受信機
１０，１１０，２１０  アンテナ
２０，１２０，２２０  低雑音増幅器
３０，２３０  Ｉ信号生成部
３１，２３１  Ｉｃｈ直交復調部
３２，４２，２３２，２４２  アンチエイリアジングフィルタ回路
３３，４３，２３３，２４３  ＡＤ変換器
４０，２４０  Ｑ信号生成部
４１，２４１  Ｑｃｈ直交復調部
５０，２５０  局部発振器
５１，２５１  局部発振回路
５２，２５２  移相器
６０，１８０，２６０，２７０  チャネルフィルタ回路
７０，７０Ａ  フィルタ処理部
７１，７１Ａ  第２フィルタ
７２  ヒルベルト変換器
７３，７３Ａ  スイッチ
７４ａ  第１入力端子
７４ｂ  第２入力端子
７５ａ  第１出力端子
７５ｂ  第２出力端子
８０，１９０，２８０  復調回路
８１，２８１  位相検出器
８２，２８２  微分器
９０，９０Ａ  制御信号生成部
１００  スーパーヘテロダイン受信機
１３０  第一混合器
１４０  第一局部発振回路
１５０  ＩＦフィルタ
１６０  第二混合器
１７０  第二局部発振回路
２００  ダイレクトコンバージョン受信機
ＣＳ１  第１制御信号
ＣＳ２  第２制御信号
ＣＳ３  第３制御信号
ＣＳ４  第４制御信号
ＳＳ  モード切替信号
【図１】
2020178293.tif 000003
【図２】
2020178293.tif 000004
【図３】
2020178293.tif 000005
【図４】
2020178293.tif 000006
【図５】
2020178293.tif 000007
【図６】
2020178293.tif 000008
【図７】
2020178293.tif 000009
【図８】
2020178293.tif 000010